(57)【特許請求の範囲】
【請求項１】
本体側コネクターが設けられる装置本体と、前記本体側コネクターと接続可能なユニット側コネクターが設けられて前記装置本体に着脱可能に装着されるユニットと、を備えた電子機器であって、
前記装置本体は、
前記本体側コネクターの端子の外周を部分的又は全面的に覆う第１の位置と前記本体側コネクターの端子を露出させる第２の位置との間で移動可能な静電気防止部材と、
該静電気防止部材を前記第１の位置に付勢する付勢部材と、を備え、
前記装置本体に前記ユニットを装着すると、前記付勢部材の付勢力に抗して前記ユニットが前記静電気防止部材を前記第１の位置から前記第２の位置まで押圧し、前記本体側コネクターと前記ユニット側コネクターが接続され、
前記本体側コネクターは、前記静電気防止部材と係合可能な係合部を有して前記装置本体に着脱可能に装着され、
前記付勢部材は、前記装置本体に着脱可能に装着され、
前記静電気防止部材と前記係合部とを係合させた状態で前記装置本体に前記付勢部材を装着すると、該付勢部材によって前記静電気防止部材と前記係合部との係合の解除が抑制され、前記装置本体からの前記本体側コネクターの取り外しが規制されることを特徴とする電子機器。
【請求項２】
前記装置本体は、該装置本体のアースに接続されたフレームを備え、
前記静電気防止部材は、前記付勢部材を介して前記フレームと導通していることを特徴とする請求項１に記載の電子機器。
【請求項３】
前記ユニットは、前記ユニット側コネクターが取り付けられるコネクター取付部を備え、該コネクター取付部は、前記ユニット内の導電性部品と導通し、且つ、前記ユニットを前記装置本体に装着した状態で前記静電気防止部材と接触することを特徴とする請求項２に記載の電子機器。
【請求項４】
用紙の搬送路と、本体側コネクターが設けられる装置本体と、前記本体側コネクターと接続可能なユニット側コネクターが設けられて前記装置本体に着脱可能に装着され、前記用紙に画像を形成する作像ユニットと、を備えた画像形成装置であって、
前記装置本体は、
前記本体側コネクターの端子の外周を部分的又は全面的に覆う第１の位置と前記本体側コネクターの端子を露出させる第２の位置との間で移動可能な静電気防止部材と、
該静電気防止部材を前記第１の位置に付勢する付勢部材と、を備え、
前記装置本体に前記作像ユニットを装着すると、前記付勢部材の付勢力に抗して前記作像ユニットが前記静電気防止部材を前記第１の位置から前記第２の位置まで押圧し、前記本体側コネクターと前記ユニット側コネクターが接続され、
前記本体側コネクターは、前記静電気防止部材と係合可能な係合部を有して前記装置本体に着脱可能に装着され、
前記付勢部材は、前記装置本体に着脱可能に装着され、
前記静電気防止部材と前記係合部とを係合させた状態で前記装置本体に前記付勢部材を装着すると、該付勢部材によって前記静電気防止部材と前記係合部との係合の解除が抑制され、前記装置本体からの前記本体側コネクターの取り外しが規制されることを特徴とする画像形成装置。
【請求項５】
前記本体側コネクターは、前記搬送路の外側に設けられ、
前記装置本体は、前記搬送路に対向して形成されたユニット収容空間を備え、
前記作像ユニットは、前記ユニット収容空間に収容されることを特徴とする請求項４に記載の画像形成装置。
【発明の詳細な説明】
【技術分野】
【０００１】
本発明は、電子機器に関し、特に、装置本体に着脱可能に装着されるユニットを備えた電子機器に関する。また、本発明は、画像形成装置に関し、特に、装置本体に着脱可能に装着される作像ユニットを備えた画像形成装置に関する。
【背景技術】
【０００２】
従来、例えばプリンター、複写機、ファクシミリ、複合機等の電子写真方式の画像形成装置のような電子機器では、作像ユニット等のユニットを装置本体に着脱可能に装着する構成が採用されている。また、装置本体側とユニット側の電気的な接続が必要な場合には、装置本体に設けられた本体側コネクターとユニットに設けられたユニット側コネクターを接続している（特許文献１参照）。
【０００３】
このような構成の電子機器において、ユーザーやサービスマン等の作業者（以下、単に「作業者」と称する。）がジャム処理のためにユニットを引き出した際、作業者の手が本体側コネクターの端子に触れると、作業者の身体に帯電した静電気が本体側コネクターの端子を介して本体側コネクターの基板に流れ、本体側コネクターの基板が破損する虞がある。そこで、本体側コネクターの端子に作業者の手が接触するのを防止するために、本体側コネクターの端子の周囲に静電気防止部材を配置する構成が知られている。
【先行技術文献】
【特許文献】
【０００４】
【特許文献１】特開平１０−１２３９１８号公報
【発明の概要】
【発明が解決しようとする課題】
【０００５】
上記した静電気防止部材によって本体側コネクターの端子に作業者の手が接触するのを確実に防止するには、本体側コネクターの端子の極力近傍に静電気防止部材を配置するのが望ましい。しかしながら、本体側コネクターの端子の周りには、本体側コネクターとユニット側コネクターを嵌合させるためのスペースが必要であり、このスペースを避けるようにして静電気防止部材を配置しなければならない。そのため、本体側コネクターの端子と十分接近した位置に静電気防止部材を配置することは困難であった。
【０００６】
そこで、本発明は上記事情を考慮し、本体側コネクターの端子と十分接近した位置に静電気防止部材を配置することで本体側コネクターの端子に作業者の手が触れるのを確実に防止することを目的とする。
【課題を解決するための手段】
【０００７】
本発明に係る電子機器は、本体側コネクターが設けられる装置本体と、前記本体側コネクターと接続可能なユニット側コネクターが設けられて前記装置本体に着脱可能に装着されるユニットと、を備えた電子機器であって、前記装置本体は、前記本体側コネクターの端子の外周を部分的又は全面的に覆う第１の位置と前記本体側コネクターの端子を露出させる第２の位置との間で移動可能な静電気防止部材と、該静電気防止部材を前記第１の位置に付勢する付勢部材と、を備え、前記装置本体に前記ユニットを装着すると、前記付勢部材の付勢力に抗して前記ユニットが前記静電気防止部材を前記第１の位置から前記第２の位置まで押圧し、前記本体側コネクターと前記ユニット側コネクターが接続されることを特徴とする。
【０００８】
このような構成を採用すれば、本体側コネクターの端子と十分接近した位置に静電気防止部材を配置しても、静電気防止部材によって本体側コネクターとユニット側コネクターの接続が阻害されることはない。そのため、本体側コネクターの端子と十分接近した位置に静電気防止部材を配置することができ、本体側コネクターの端子に作業者の手が触れるのを確実に防止することが可能となる。これに伴って、作業者の身体に帯電した静電気による本体側コネクターの破損を防止することが可能となる。
【０００９】
本発明に係る電子機器は、前記装置本体は、該装置本体のアースに接続されたフレームを備え、前記静電気防止部材は、前記付勢部材を介して前記フレームと導通していても良い。
【００１０】
このような構成を採用することで、静電気防止部材に作業者の手が触れた場合に、作業者の身体に帯電した静電気を、静電気防止部材及び付勢部材を介してフレームに逃がすことが可能となる。また、付勢部材を介して静電気防止部材とフレームを導通させることで、静電気防止部材とフレームを導通させる部品を別途に追加する必要がなくなり、部品点数の増加を抑制して低コスト化を図ることが可能となる。
【００１１】
本発明に係る電子機器は、前記ユニットは、前記ユニット側コネクターが取り付けられるコネクター取付部を備え、該コネクター取付部は、前記ユニット内の導電性部品と導通し、且つ、前記ユニットを前記装置本体に装着した状態で前記静電気防止部材と接触しても良い。
【００１２】
このような構成を採用することで、ユニットの導電性部品に帯電した静電気を、コネクター取付部、静電気防止部材及び付勢部材を介して、アースに接続されたフレームに逃がすことが可能となる。つまり、フレームを利用してユニットのアースを取ることが可能となり、フレームを有効活用することが可能となる。
【００１３】
本発明に係る電子機器は、前記本体側コネクターは、前記静電気防止部材と係合可能な係合部を有して前記装置本体に着脱可能に装着され、前記付勢部材は、前記装置本体に着脱可能に装着され、前記静電気防止部材と前記係合部とを係合させた状態で前記装置本体に前記付勢部材を装着すると、該付勢部材によって前記静電気防止部材と前記係合部との係合の解除が抑制され、前記装置本体からの前記本体側コネクターの取り外しが規制されても良い。
【００１４】
このような構成を採用することにより、例えば本体側コネクターが破損した場合に、本体側コネクターを容易に交換することが可能となる。また、静電気防止部材と本体側コネクターの係合部との係合の解除を付勢部材によって抑制する構成であるため、上記した係合状態を保持するための部材を別途に追加する必要が無い。そのため、部品点数の増加を抑制して低コスト化を図ることが可能となる。
【００１５】
本発明に係る画像形成装置は、用紙の搬送路と、本体側コネクターが設けられる装置本体と、前記本体側コネクターと接続可能なユニット側コネクターが設けられて前記装置本体に着脱可能に装着され、前記用紙に画像を形成する作像ユニットと、を備えた画像形成装置であって、前記装置本体は、前記本体側コネクターの端子の外周を部分的又は全面的に覆う第１の位置と前記本体側コネクターの端子を露出させる第２の位置との間で移動可能な静電気防止部材と、該静電気防止部材を前記第１の位置に付勢する付勢部材と、を備え、前記装置本体に前記作像ユニットを装着すると、前記付勢部材の付勢力に抗して前記ユニットが前記静電気防止部材を前記第１の位置から前記第２の位置まで押圧し、前記本体側コネクターと前記ユニット側コネクターが接続されることを特徴とする。
【００１６】
このような構成を採用すれば、本体側コネクターの端子と十分接近した位置に静電気防止部材を配置しても、静電気防止部材によって本体側コネクターとユニット側コネクターの接続が阻害されることはない。そのため、本体側コネクターの端子と十分接近した位置に静電気防止部材を配置することができ、本体側コネクターの端子に作業者の手が触れるのを確実に防止することが可能となる。これに伴って、作業者の身体に帯電した静電気による本体側コネクターの破損を防止することが可能となる。
【００１７】
本発明に係る画像形成装置は、前記本体側コネクターは、前記搬送路の外側に設けられ、前記装置本体は、前記搬送路に対向して形成されたユニット収容空間を備え、前記作像ユニットは、前記ユニット収容空間に収容されても良い。
【００１８】
このような構成を採用すれば、搬送路を搬送されてくる用紙や作像ユニットが本体側コネクターに引っ掛かるのを確実に防止することが可能となる。
【発明の効果】
【００１９】
本発明の電子機器及び画像形成装置によれば、本体側コネクターの端子と十分接近した位置に静電気防止部材を配置することで本体側コネクターの端子に作業者の手が触れるのを確実に防止することが可能となる。
【図面の簡単な説明】
【００２０】
【図１】本発明の一実施形態に係るプリンターの斜視図である。
【図２】本発明の一実施形態に係るプリンターにおいて、作像ユニットを手前側に引き出した状態を示す斜視図である。
【図３】本発明の一実施形態に係るプリンターの装置本体において、左フレームの内面側を示す斜視図である。
【図４】本発明の一実施形態に係るプリンターの装置本体において、本体側コネクターの周辺を示す断面図である。
【図５】本発明の一実施形態に係るプリンターの装置本体において、本体側コネクターの周辺を示す斜視図である。
【図６】本発明の一実施形態に係るプリンターの装置本体において、本体側コネクターを示す斜視図である。
【図７】本発明の一実施形態に係るプリンターにおいて、作像ユニットを示す斜視図である。
【図８】本発明の一実施形態に係るプリンターの作像ユニットにおいて、ユニット側コネクターを示す斜視図である。
【図９】本発明の一実施形態に係るプリンターの装置本体において、静電気防止部材が第２の位置に移動した状態を示す斜視図である。
【図１０】本発明の一実施形態に係るプリンターにおいて、本体側コネクターとユニット側コネクターを接続した状態を示す断面図である。
【図１１】本発明の一実施形態に係るプリンターにおいて、本体側コネクターを左フレームの左方に保持した状態を示す斜視図である。
【図１２】本発明の一実施形態に係るプリンターにおいて、（ａ）は、本体側コネクターを左フレームの左方に保持した状態を示す断面図であり、（ｂ）は、本体側コネクターを装着部に挿入した状態を示す断面図であり、（ｃ）は、（ｂ）の状態から静電気防止部材を持ち上げた状態を示す断面図である。
【図１３】本発明の一実施形態に係るプリンターにおいて、本体側コネクター及び付勢部材を装置本体に装着し、静電気防止部材を最大限下降させた状態を示す断面図である。
【発明を実施するための形態】
【００２１】
本発明の一実施形態に係る電子機器及び画像形成装置としてのプリンター１について、図面を参照しつつ説明する。以下、説明の便宜上、図１における紙面左手前側をプリンター１の正面側とする。
【００２２】
まず、プリンター１の構成について図１〜図８を用いて説明する。図１は、本発明の一実施形態に係るプリンターの斜視図である。図２は、本発明の一実施形態に係るプリンターにおいて、作像ユニットを手前側に引き出した状態を示す斜視図である。図３は、本発明の一実施形態に係るプリンターの装置本体において、左フレームの内面側を示す斜視図である。図４は、本発明の一実施形態に係るプリンターの装置本体において、本体側コネクターの周辺を示す断面図である。図５は、本発明の一実施形態に係るプリンターの装置本体において、本体側コネクターの周辺を示す斜視図である。図６は、本発明の一実施形態に係るプリンターの装置本体において、本体側コネクターを示す斜視図である。図７は、本発明の一実施形態に係るプリンターにおいて、作像ユニットを示す斜視図である。図８は、本発明の一実施形態に係るプリンターの作像ユニットにおいて、ユニット側コネクターを示す斜視図である。
【００２３】
図１、図２に示されるように、プリンター１は、箱型形状の装置本体２と、この装置本体２に装着される作像ユニット３（図２参照）と、を備えている。
【００２４】
まず、装置本体２について説明する。図１に示されるように、装置本体２は、略直方体形状を成している。装置本体２の下部には、手前側に引き出し可能な給紙トレイ４が設けられている。装置本体２の上面側の中央には排紙トレイ５が設けられ、装置本体２の上面側の後部には排紙ユニット６が設けられている。装置本体２の内部には、給紙トレイ４から排紙ユニット６に至る用紙の搬送路９（図２、図３等参照）が設けられている。
【００２５】
排紙トレイ５の上面側の前部には上カバー７が設けられ、この上カバー７の手前側角部には、プリンター１の各種機能の設定等を行うための操作パネル８が設けられている。図２に示されるように、上カバー７は、その後端部に設けられたヒンジ部１０を中心に開閉可能となっている。装置本体２には、上カバー７の下方にユニット収容空間１１が搬送路９に対向して形成されている。
【００２６】
図３に示されるように、装置本体２の左端部には左フレーム１２が上下方向に設けられている。左フレーム１２は、例えば板金によって形成されており、導電性を有している。左フレーム１２は、装置本体２のアースに接続されている。
【００２７】
左フレーム１２の上部の内面側には、後方に向かって下方に傾斜するガイドレール１３が、ユニット収容空間１１の左面側に設けられている。なお、このガイドレール１３は、装置本体２の右端部に設けられる右フレーム（図示せず）の内面側にも設けられている。
【００２８】
左フレーム１２の前部の内面側には、ガイドレール１３の下方で搬送路９の外側に装着部１４が設けられている。図４に示されるように、装着部１４の上側は水平方向に延びる上方区画板１５によって覆われ、装着部１４の下側は水平方向に延びる下方区画板１６によって覆われている。下方区画板１６は、上方区画板１５の右端部よりも右方に延出しており、下方区画板１６の右端部には、上方に向かって右方区画板１７が突設されている。右方区画板１７の上下方向中央には、段差部１８が形成されている。上方区画板１５の右端部と右方区画板１７の上端部との間には、連通開口部２０が形成されている。
【００２９】
装着部１４の前面側と後面側の上下方向中央には、上下一対の突条２１によって構成される挿入用レール２２が左右方向に設けられている。装着部１４は、左フレーム１２に設けられた挿入開口部２３を介して左フレーム１２の左方の空間と連通している。左フレーム１２には、挿入開口部２３から右方に向かって、フック２４が突設されている。
【００３０】
装着部１４の右側部には、静電気防止部材２５が昇降可能に装着されている。静電気防止部材２５は、例えば板金によって形成されており、導電性を有している。静電気防止部材２５は、水平方向に延びる底板２６と、底板２６の前後両端から上方に向かって屈曲される第１被覆板２７と、底板２６の右端から上方に向かって屈曲される第２被覆板２８と、を備えている。
【００３１】
図５に最も良く示されるように、各第１被覆板２７の上端には、外方（前側の第１被覆板２７については前方、後側の第１被覆板２７については後方）に向かって屈曲される舌片３０が設けられている。各第１被覆板２７の左右両端には、内方（前側の第１被覆板２７については後方、後側の第１被覆板２７については前方）に向かって屈曲されるガイド片３１が設けられ、各第１被覆板２７は平面視コ字状を成している。各第１被覆板２７の右側のガイド片３１と第２被覆板２８の間には隙間３２が形成されている。各第１被覆板２７の左側のガイド片３１には、底板２６よりも下方に延びる延出片３３（図４参照）が設けられている。
【００３２】
図４に示されるように、装着部１４の下部には、付勢部材３４が着脱可能に装着されている。付勢部材３４は、例えば線バネによって形成されており、導電性を有している。付勢部材３４は、左右方向に延びる第１下側部３５と、第１下側部３５の左端部に接続されるコイル部３６と、コイル部３６から左方に向かって延びる第２下側部３７と、第２下側部３７の左端から左上方に屈曲される固定部３８と、コイル部３６から右上方に向かって延びる上側部４０と、上側部４０の右端から右下方に向かって屈曲される当接部４１と、を備えている。
【００３３】
付勢部材３４は、固定部３８が左フレーム１２のフック２４に係合することで、装着部１４内に固定されている。付勢部材３４には、上側部４０と当接部４１の境界部分（屈曲部分）に押圧部４２が設けられている。押圧部４２は、静電気防止部材２５の底板２６に接触して底板２６を上方に押圧しており、これにより、静電気防止部材２５が上方に付勢されている。以上の記載から明らかなように、導電性を有する付勢部材３４が導電性を有する静電気防止部材２５と導電性を有する左フレーム１２の双方に接触している。つまり、静電気防止部材２５は、付勢部材３４を介して左フレーム１２と導通している。
【００３４】
装着部１４の略上下方向中央部には、本体側コネクター４３が着脱可能に装着されている。図６に示されるように、本体側コネクター４３は、水平方向に設けられる基板４４と、この基板４４の上面の右側部から上方に向かって突設される端子４５と、を備えている。
【００３５】
基板４４は、装置本体２に設けられた電源部（図示せず）と電気的に接続されている。基板４４は、平面視略矩形状を成している。基板４４の前後両縁部は、装着部１４の挿入用レール２２に係合している（図４参照）。図６に示されるように、基板４４の前後両縁部には、左側部から左右方向中央部にかけて溝部４６が設けられている。基板４４の前後両縁部には、溝部４６の右方に平面視Ｕ字溝状の係合部４７が設けられている。各係合部４７は、静電気防止部材２５の各第１被覆板２７の左側のガイド片３１に係合している（図５参照）。
【００３６】
端子４５は、基板４４と電気的に接続されている。図５に示されるように、端子４５は、基板４４の上面から上方に突出しており、装着部１４の連通開口部２０に臨んでいる。端子４５は、静電気防止部材２５の各第１被覆板２７によって前後両側を覆われると共に、静電気防止部材２５の第２被覆板２８によって右側を覆われている。即ち、端子４５は、静電気防止部材２５によって外周を部分的に覆われている。
【００３７】
次に、作像ユニット３について説明する。作像ユニット３は、装置本体２のユニット収容空間１１に収容されており、作像ユニット３によって形成されたトナー像が、給紙トレイ４から供給されて搬送路９に沿って搬送されてきた用紙に転写及び定着された後、排紙ユニット６を介して排紙トレイ５に排出されるようになっている。つまり、作像ユニット３は、用紙に画像を形成するようになっている。
【００３８】
図７に示されるように、作像ユニット３の左右両側面には、後方に向かって下方に傾斜する突部４８が設けられている。そして、例えばジャム処理を行う場合には、突部４８を装置本体２のガイドレール１３に係合させた状態で作像ユニット３を装置本体２に対してスライドさせることで、作像ユニット３を装置本体２に対して着脱できるようになっている。
【００３９】
作像ユニット３の左下端部の前端には、コネクター取付部５０が設けられている。コネクター取付部５０は、例えば金属製であり、導電性を有している。コネクター取付部５０は、作像ユニット３内の導電性部品と導通している。
【００４０】
コネクター取付部５０には、ユニット側コネクター５１が取り付けられている。図８に示されるように、ユニット側コネクター５１は、上下方向に設けられる基板５２と、この基板５２の左面の下端に固定される端子収納部５３と、を備えている。
【００４１】
基板５２は、側面視略矩形状を成している。基板５２は、作像ユニット３内の電気部品（例えば、各種ローラーを回転させるためのモーター）に電気的に接続されている。端子収納部５３は、角筒状を成している。端子収納部５３内には、基板５２と電気的に接続される端子（図示せず）が収納されている。
【００４２】
上記の如く構成されたものにおいて、作像ユニット３を装置本体２に装着する際の静電気防止部材２５の動作について、主に図９及び図１０を用いて説明する。図９は、本発明の一実施形態に係るプリンターの装置本体において、静電気防止部材が第２の位置に移動した状態を示す斜視図である。図１０は、本発明の一実施形態に係るプリンターにおいて、本体側コネクターとユニット側コネクターを接続した状態を示す断面図である。
【００４３】
作像ユニット３を装置本体２から取り外した状態では、付勢部材３４の付勢力によって静電気防止部材２５が上方に付勢されている（図４参照）。そのため、静電気防止部材２５の各第１被覆板２７及び第２被覆板２８によって本体側コネクター４３の端子４５の外周が部分的に覆われており、作業者の手が本体側コネクター４３の端子４５に接触することが防止されている（図５参照）。この時の静電気防止部材２５の位置を、「第１の位置」とする。
【００４４】
この状態から、装置本体２に作像ユニット３を装着すると、付勢部材３４の付勢力に抗して作像ユニット３のコネクター取付部５０の下端が静電気防止部材２５を下方に押圧する。この押圧により、図９に示されるように、静電気防止部材２５が下降し、本体側コネクター４３の端子４５が露出する。この時の静電気防止部材２５の位置を、「第２の位置」とする。
【００４５】
また、上記した装置本体２への作像ユニット３の装着に伴って、図１０に示されるように、本体側コネクター４３の端子４５にユニット側コネクター５１の端子収納部５３が嵌合し、ユニット側コネクター５１の端子収納部５３に収納された端子（図示せず）が、本体側コネクター４３の端子４５に接続される。これにより、装置本体２と作像ユニット３が電気的に接続され、装置本体２の電源部から作像ユニット３内の電気部品に電力を供給することが可能となる。なお、作像ユニット３を装置本体２に装着した状態で、作像ユニット３のコネクター取付部５０の下端は、静電気防止部材２５に接触している。
【００４６】
以上のように本実施形態では、作像ユニット３の装置本体２への装着に伴って、本体側コネクター４３の端子４５を露出させる位置まで静電気防止部材２５が移動している。そのため、本体側コネクター４３の端子４５と十分接近した位置に静電気防止部材２５を配置しても、静電気防止部材２５によって本体側コネクター４３の端子４５とユニット側コネクター５１の端子収納部５３の嵌合が阻害されることはない。そのため、本体側コネクター４３の端子４５と十分接近した位置に静電気防止部材２５を配置することができ、本体側コネクター４３の端子４５に作業者の手が触れるのを確実に防止することが可能となる。これに伴って、作業者の身体に帯電した静電気が本体側コネクター４３の端子４５を介して基板４４に流れて、この基板４４が破損するのを防止することが可能となる。
【００４７】
また、装置本体２のアースに接続された左フレーム１２に静電気防止部材２５が付勢部材３４を介して導通している。そのため、静電気防止部材２５に作業者の手が触れた場合に、作業者の身体に帯電した静電気を、静電気防止部材２５及び付勢部材３４を介して左フレーム１２に逃がすことが可能となる。また、付勢部材３４を介して静電気防止部材２５と左フレーム１２を導通させることで、静電気防止部材２５と左フレーム１２を導通させる部品を別途に追加する必要がなくなり、部品点数の増加を抑制して低コスト化を図ることが可能となる。
【００４８】
更に、作像ユニット３には、内部の導電性部品と導通するコネクター取付部５０が設けられ、作像ユニット３を装置本体２に装着した状態で上記のコネクター取付部５０が静電気防止部材２５と接触している。そのため、作像ユニット３の導電性部品に帯電した静電気を、コネクター取付部５０、静電気防止部材２５及び付勢部材３４を介して、アースに接続された左フレーム１２に逃がすことが可能となる。つまり、左フレーム１２を利用して作像ユニット３のアースを取ることが可能となり、左フレーム１２を有効活用することが可能となる。
【００４９】
次に、上記の如く構成されたものにおいて、装置本体２に対して本体側コネクター４３を着脱する方法について主に図１１及び図１２を用いて説明する。図１１は、本発明の一実施形態に係るプリンターにおいて、本体側コネクターを左フレームの左方に保持した状態を示す斜視図である。図１２は、本発明の一実施形態に係るプリンターにおいて、（ａ）は、本体側コネクターを左フレームの左方に保持した状態を示す断面図であり、（ｂ）は、本体側コネクターを装着部に挿入した状態を示す断面図であり、（ｃ）は、（ｂ）の状態から静電気防止部材を持ち上げた状態を示す断面図である。
【００５０】
装置本体２に本体側コネクター４３を装着するには、まず、図１２（ａ）に示されるように、静電気防止部材２５を第２の位置よりも低い位置にセットし、静電気防止部材２５の延出片３３の下端を下方区画板１６の上面に当接させる。この時の静電気防止部材２５の位置を、「第３の位置」とする。
【００５１】
そして、図１１及び図１２（ａ）に示されるように、左フレーム１２の外側（左側）に、本体側コネクター４３を水平姿勢で保持する。そして、図１２（ｂ）に示されるように、本体側コネクター４３の基板４４の前後両縁部を装着部１４の挿入用レール２２に係合させながら、本体側コネクター４３を、左フレーム１２の挿入開口部２３を介して装置本体２の装着部１４に挿入する。
【００５２】
次に、図１２（ｃ）に示されるように、静電気防止部材２５の左側のガイド片３１と本体側コネクター４３の係合部４７を係合させながら、静電気防止部材２５を第１の位置まで持ち上げる。この状態で、図４に示されるように、付勢部材３４を装置本体２に装着する。即ち、付勢部材３４を静電気防止部材２５の下方に挿入し、静電気防止部材２５の底板２６に付勢部材３４の押圧部４２を接触させると共に付勢部材３４の固定部３８を左フレーム１２のフック２４に係合させる。これにより、装置本体２への本体側コネクター４３の装着が完了する。
【００５３】
このように装置本体２に本体側コネクター４３及び付勢部材３４を装着し、静電気防止部材２５を最大限下降させた状態を図１３に示す。この状態では、付勢部材３４の当接部４１が下方区画板１６の上面に当接して、静電気防止部材２５の下降が規制される。そのため、静電気防止部材２５を第３の位置まで下降させることはできず、本体側コネクター４３の係合部４７と静電気防止部材２５の左側のガイド片３１との係合の解除が規制される。これに伴って、装置本体２からの本体側コネクター４３の取り外しが抑制される。
【００５４】
なお、本体側コネクター４３を装置本体２から取り外すには、付勢部材３４を装置本体２から取り外した後、静電気防止部材２５を第３の位置まで下降させ、本体側コネクター４３を左フレーム１２の左側に引き抜けば良い。
【００５５】
以上のように本実施形態では、本体側コネクター４３が装置本体２に対して着脱可能であるため、例えば本体側コネクター４３が破損した場合に、本体側コネクター４３を容易に交換することが可能となっている。また、静電気防止部材２５の左側のガイド片３１と本体側コネクター４３の係合部４７との係合の解除を付勢部材３４によって抑制する構成であるため、上記した係合状態を保持するための部材を別途に追加する必要が無い。そのため、部品点数の増加を抑制して低コスト化を図ることが可能となる。
【００５６】
また、本実施形態では、本体側コネクター４３が搬送路９の外側に設けられ、装置本体２は、搬送路９に対向して形成されたユニット収容空間１１を備え、作像ユニット３は、ユニット収容空間１１に収容されている。そのため、搬送路９を搬送されてくる用紙や作像ユニット３が本体側コネクター４３に引っ掛かるのを確実に防止することが可能となる。
【００５７】
本実施形態では、静電気防止部材２５によって本体側コネクター４３の端子４５の外周が部分的に覆われる場合について説明したが、他の異なる実施形態では、静電気防止部材２５によって本体側コネクター４３の端子４５の外周が全面的に覆われても良い。
【００５８】
本実施形態では、線バネによって付勢部材３４を形成する場合について説明したが、他の異なる実施形態では、板バネ等によって付勢部材３４を形成しても良い。
【００５９】
本実施形態では、作像ユニット３のコネクター取付部５０を金属製としたが、他の異なる実施形態では、作像ユニット３のコネクター取付部５０を樹脂製としても良い。
【００６０】
本実施形態では、プリンター１に本発明の構成を適用する場合について説明したが、他の異なる実施形態では、複写機、ファクシミリ、複合機等の他の画像形成装置に本発明の構成を適用することも可能である。更に、他の異なる実施形態では、画像形成装置以外の電子機器に本発明の構成を適用することも可能である。
【符号の説明】
【００６１】
１  プリンター（電子機器及び画像形成装置）
２  装置本体
３  作像ユニット
９  （用紙の）搬送路
１２  左フレーム
２５  静電気防止部材
３４  付勢部材
４３  本体側コネクター
４５  端子
４７  係合部
５０  コネクター取付部
５１  ユニット側コネクター
【図１】
0005870020.tif 000002
【図２】
0005870020.tif 000003
【図３】
0005870020.tif 000004
【図４】
0005870020.tif 000005
【図５】
0005870020.tif 000006
【図６】
0005870020.tif 000007
【図７】
0005870020.tif 000008
【図８】
0005870020.tif 000009
【図９】
0005870020.tif 000010
【図１０】
0005870020.tif 000011
【図１１】
0005870020.tif 000012
【図１２】
0005870020.tif 000013
【図１３】
0005870020.tif 000014